(57)【要約】      （修正有）【課題】Ｔ５型蛍光灯を容易に且つ経済的にＴ８型蛍光灯用の灯具に搭載させることができるサイズ調整式蛍光灯具を提供すること。【解決手段】サイズ調整式蛍光灯具は、蛍光灯具本体１０と２体のアダプター２０ａを有する。蛍光灯具本体１０は、所定の間隔で形成された２つのピン穴１２１をそれぞれ有する。アダプター２０ａは、ソケット１２に取り付けられ、ハウジングと、ソケット１２のピン穴１２１を通過して搭載される２本の調整ピン２１と、ハウジング内に搭載され調整ピン２１に電気接続される２体の導電部材２２とを有する。ハウジングはソケット１２のピン穴１２１の間隔よりも狭い２つの前方ピン穴３１と、前方ピン穴３１と整合するゲートウェイとを有する。アダプター２０ａのゲートウェイは、Ｔ５型蛍光管のピンを受け入れ、前方ピン穴３１で保持させる。【選択図】図１
0003125853.tif 000002
【実用新案登録請求の範囲】
【請求項１】
サイズ調整式蛍光灯具であって、
上面と両端を有する長方体と、
該長方体の両端近傍で前記上面に設けられ、それぞれ前面、後面及び該前面に所定の間隔で形成される２つのピン穴を有する２体のソケットを備える蛍光灯具本体と、
前記蛍光灯具本体の前記長方体に搭載されると共に、前記ソケットの前面にそれぞれ着脱自在に取り付けられる２体のアダプターとを含み、各アダプターは、
前記蛍光灯具本体の前記長方体に搭載されると共に、前記ソケットの前面に着脱自在に取り付けられ、前面、後面、上面、前記ソケットのピン穴の間隔より短い間隔で前記前面に形成される２つの前方ピン穴、前記ソケットのピン穴にそれぞれ対応して前記後面に形成される２つの後方ピン穴及び前記上面に形成されると共に、該前面と前方ピン穴に連通するゲートウェイを備えるハウジングと、
前記ハウジングの後方ピン穴と前記ソケットのピン穴とを通過して搭載される２本の調整ピンと、
前記ハウジング内に搭載され、互いに絶縁されることにより、前記調整ピンとそれぞれ電気接続される２体の導電部材と、
を含むことを特徴とするサイズ調整式蛍光灯具。
【請求項２】
前記アダプターのハウジングは、
前記蛍光灯具本体の長方体に搭載されると共に、前記ソケットの前面に着脱自在に取り付けられ、下方部を有する前面の開口と、前記ハウジングの後面である後面と、前記ハウジングの上面の一部である上面と、前記後面に形成される２つの後方ピン穴と、前記上面に形成されると共に、前記前面の開口と連通し、前記ハウジングのゲートウェイの一部を構成するスリットと、を有した主キャップ体と、
前記主キャップ体の前面の開口内に設けられ、後面の開口と、前記ハウジングの前面である前面と、前記ハウジングの上面の一部である上面と、前記前面に形成される２つの前方ピン穴と、前記上面に形成されると共に、前記主キャップ体のスリットと対応し、前記前面及び前方ピン穴と連通し、前記ハウジングのゲートウェイの一部を構成するスリットと、を含む副キャップ体と、を備え、
前記各アダプターの調整ピンは、主キャップ体の後方ピン穴を通過して搭載され、
前記各アダプターは、前記ハウジングの主キャップ体の前面の開口の下方部に形成されると共に、縦方向に延びる連結アームをさらに有しており、
本サイズ調整式蛍光灯具は、蛍光灯具本体の長方体に搭載されると共に、アダプターの連結アームを収容する２つの開口端を有する角パイプ状のアダプター長台をさらに含んでいることを特徴とする請求項１記載のサイズ調整式蛍光灯具。
【請求項３】
蛍光灯具本体のソケットに着脱自在に搭載される２体の装飾カバー体をさらに含み、
前記各装飾カバー体は、Ｕ形状で、ソケット周囲に横方向に延びて設けられ、アダプターのハウジングをカバーするカバー本体を備え、該カバー本体は、後端と、内壁と、該内壁に突起して形成されると共に、前記ソケットの前面に隣接する保持手段と、を有しており、
前記カバー本体の後端に形成されると共に、前記ソケットの後面に隣接する後方パネルをさらに含んでいることを特徴とする請求項２記載のサイズ調整式蛍光灯具。
【考案の詳細な説明】
【技術分野】
【０００１】
本考案は、短形蛍光灯を現存の長形蛍光灯用灯具に搭載させるためのサイズ調整式蛍光灯具に関するものである。
【背景技術】
【０００２】
現在では一般にＴ８型蛍光灯がよく使用されているが、Ｔ８型蛍光灯より消費電力が少なく、より明るいＴ５型蛍光灯に徐々に取って代わりつつある。このように、Ｔ５型蛍光灯は、優れた照明効率を持つため、Ｔ８型蛍光灯より消費電力を減らすことができる。
【０００３】
しかしながら、特定電力値（ワット）のＴ５型蛍光灯は、同一電力値のＴ８型蛍光灯よりも長さが短いことから、Ｔ５型蛍光灯を直接Ｔ８型蛍光灯具に搭載することはできない。従って、Ｔ５型蛍光灯を用いる時は、Ｔ５型蛍光灯専用の灯具が必要となることから使用利便性に欠け、不経済でもあった。
【考案の開示】
【考案が解決しようとする課題】
【０００４】
本考案は、Ｔ５型蛍光灯を容易に且つ経済的にＴ８型蛍光灯用の灯具に搭載させることができるサイズ調整式蛍光灯具を提供することを課題とするものである。
【課題を解決するための手段】
【０００５】
上記課題を解決するために、請求項１に記載の考案が採った手段は、サイズ調整式蛍光灯具であって、上面と両端を有する長方体と、該長方体の両端近傍で前記上面に設けられ、それぞれ前面、後面及び該前面に所定の間隔で形成される２つのピン穴を有する２体のソケットを備える蛍光灯具本体と、前記蛍光灯具本体の前記長方体に搭載されると共に、前記ソケットの前面にそれぞれ着脱自在に取り付けられる２体のアダプターとを含み、各アダプターは、前記蛍光灯具本体の前記長方体に搭載されると共に、前記ソケットの前面に着脱自在に取り付けられ、前面、後面、上面、前記ソケットのピン穴の間隔より短い間隔で前記前面に形成される２つの前方ピン穴、前記ソケットのピン穴にそれぞれ対応して前記後面に形成される２つの後方ピン穴及び前記上面に形成されると共に、該前面と前方ピン穴に連通するゲートウェイを備えるハウジングと、前記ハウジングの後方ピン穴と前記ソケットのピン穴とを通過して搭載される２本の調整ピンと、前記ハウジング内に搭載され、互いに絶縁されることにより、前記調整ピンとそれぞれ電気接続される２体の導電部材と、を含むことを特徴とするサイズ調整式蛍光灯具、である。
【０００６】
また、請求項２に記載の考案が採った手段は、前記アダプターのハウジングは、前記蛍光灯具本体の長方体に搭載されると共に、前記ソケットの前面に着脱自在に取り付けられ、下方部を有する前面の開口と、前記ハウジングの後面である後面と、前記ハウジングの上面の一部である上面と、前記後面に形成される２つの後方ピン穴と、前記上面に形成されると共に、前記前面の開口と連通し、前記ハウジングのゲートウェイの一部を構成するスリットと、を有した主キャップ体と、前記主キャップ体の前面の開口内に設けられ、後面の開口と、前記ハウジングの前面である前面と、前記ハウジングの上面の一部である上面と、前記前面に形成される２つの前方ピン穴と、前記上面に形成されると共に、前記主キャップ体のスリットと対応し、前記前面及び前方ピン穴と連通し、前記ハウジングのゲートウェイの一部を構成するスリットと、を含む副キャップ体と、を備え、前記各アダプターの調整ピンは、主キャップ体の後方ピン穴を通過して搭載され、前記各アダプターは、前記ハウジングの主キャップ体の前面の開口の下方部に形成されると共に、縦方向に延びる連結アームをさらに有しており、本サイズ調整式蛍光灯具は、蛍光灯具本体の長方体に搭載されると共に、アダプターの連結アームを収容する２つの開口端を有する角パイプ状のアダプター長台をさらに含んでいることを特徴とする請求項１記載のサイズ調整式蛍光灯具、である。
【０００７】
また、請求項３に記載の考案が採った手段は、  蛍光灯具本体のソケットに着脱自在に搭載される２体の装飾カバー体をさらに含み、前記各装飾カバー体は、Ｕ形状で、ソケット周囲に横方向に延びて設けられ、アダプターのハウジングをカバーするカバー本体を備え、該カバー本体は、後端と、内壁と、該内壁に突起して形成されると共に、前記ソケットの前面に隣接する保持手段と、を有しており、前記カバー本体の後端に形成されると共に、前記ソケットの後面に隣接する後方パネルをさらに含んでいることを特徴とする請求項２記載のサイズ調整式蛍光灯具、である。
【０００８】
本考案に係るサイズ調整式蛍光灯具は、蛍光灯具本体と２体のアダプターとを含む。該蛍光灯具本体はＴ８型蛍光灯用であり、長方体と、その両端近傍に２体のソケットとを備え、該各ソケットは所定間隔で２つのピン穴が形成され、それにより電力回路と外部電源とが接続される。また、前記アダプターは長方体に搭載されて、それぞれ前記ソケットに取り付けられ、該各アダプターはハウジング及び２本の調整ピン及び２体の導電部材を備えている。
【０００９】
前記ハウジングは、前記ソケットのピン穴の間隔よりも短い間隔の２本の前方ピン穴と、前記ソケットのピン穴に対応した２本の後方ピン穴と、Ｔ５型蛍光灯のピンを通過させ、所定の角度で回転させてハウジングの前方ピン穴で保持させるべく前方ピン穴と整合するゲートウェイとを有している。
【００１０】
前記調整ピンは、ハウジングの後方ピン穴とソケットのピン穴を通過して搭載され、ソケットの電力回路に電気接続される。前記導電部材は、ハウジング内に搭載され、前記調整ピンにそれぞれ電気接続されてＴ５型蛍光灯に電気を供給する。
【考案の効果】
【００１１】
本考案に係るサイズ調整式蛍光灯具によれば、前記アダプターを蛍光灯具本体に搭載することにより、Ｔ５型蛍光灯をＴ８型蛍光灯用の灯具に直接搭載させることができるので、他のＴ５型蛍光灯用の灯具は不要となる。
【考案を実施するための最良の形態】
【００１２】
図１乃至図３及び図８乃至図１０で示す本考案に係るサイズ調整式蛍光灯具は、蛍光灯具本体１０、２体のアダプター２０a、２０b、選択的に使用されるアダプター長台８１及び２体のカバー体７０a、７０bを備えている。
【００１３】
蛍光灯具本体１０は、Ｔ８型蛍光灯搭載用であり、長方体１１と２体のソケット１２を有する。長方体１１は上面と両端とを備える。ソケット１２は長方体１１の上面両端近傍にそれぞれ搭載されている。更に各ソケット１２は、前面と後面とを有し、外部電源に接続される電力回路と、ソケット１２の前面に所定の間隔で形成される２つのピン穴１２１とを有している。
【００１４】
アダプター２０a、２０bは、蛍光灯具本体１０の長方体１１に搭載されていると共に、ソケット１２の前面にそれぞれ着脱自在に取り付けられている。各アダプター２０a、２０bは、ハウジング、２本の調整ピン２１、２体の導電部材２２及び選択的に使用される連結アーム２３を有している。
【００１５】
更に、図６、図７及び図１１、図１２に示すハウジングは、蛍光灯具本体１０の長方体１１に搭載されると共に、ソケット１２の前面に着脱自在に取り付けられ、前面、後面、上面、２つの前方ピン穴３１、２つの後方ピン穴４１及びゲートウェイ２４を備え、更に主キャップ体４０a、４０bと副キャップ体３０を含んでいる。前方ピン穴３１は、Ｔ５型蛍光灯９０のピン９１を挿入するために、ソケット１２のピン穴１２１の間隔よりも狭い間隔でハウジングの前面に形成され、後方ピン穴４１はソケット１２のピン穴１２１にそれぞれ対応し、ハウジングの後面を通過するように形成される。
【００１６】
更に、図４と図５に示すように、ゲートウェイ２４は、ハウジングの上部を通過するように形成され、ハウジングの前面とハウジングの前方ピン穴３１に連通することにより、Ｔ５型蛍光灯９０のピン９１がゲートウェイ２４を通過して、所定角度回転し前方ピン穴３１に保持される。
【００１７】
主キャップ体４０a、４０bは、蛍光灯具本体１０の長方体１１に搭載されると共に、ソケット１２の前面に着脱自在に取り付けられる。主キャップ体４０ａ、４０ｂは、前面の開口、後面、両側面、該後面に形成される２つの後方ピン穴４１及びスリット４２を有し、該前面の開口に下方部が設けられる。この構成によれば、主キャップ体４０a、４０bの後面は、ハウジングの後面であり、主キャップ体４０a、４０bの上面はハウジングの上面の一部である。更に、後方ピン穴４１は、主キャップ体４０a、４０bの後面を通過して形成される。また、スリット４２は、主キャップ体４０a、４０bの上面に形成されると共に、主キャップ体４０a、４０bの前面の開口連通と、ハウジングのゲートウェイ２４の一部である。
【００１８】
副キャップ体３０は、主キャップ体４０a、４０bの前面の開口内に設けられると共に、後面の開口、前面、上面、両側面、該前面に形成される２つの前方ピン穴３１及びスリット３２を有している。この構成によれば、副キャップ体３０の前面は、ハウジングの前面であり、副キャップ体３０の上面は、ハウジングの上面の一部である。更に、前方ピン穴３１は、副キャップ体３０の前面を通過して形成される。また、スリット３２は、副キャップ体３０の上面に形成され、主キャップ体４０a、４０bのスリット４２と対応すると共に、副キャップ体３０の前面及び副キャップ体３０の前方ピン穴３１と連通することにより、ハウジングのゲートウェイ２４の一部として構成されている。
【００１９】
調整ピン２１は、ハウジングの後方ピン穴４１及びソケット１２のピン穴１２１を通って設けられることにより、ソケット１２の電力回路に電気接続される。また、それらは主キャップ体４０a、４０bの後方ピン穴４１を通過して設けられてもよい。
【００２０】
導電部材２２は、ハウジング内に設けられると共に、調整ピン２１にそれぞれ電気接続され、互いに絶縁されることにより、Ｔ５型蛍光管９０のピン９１と調整ピン２１とを電気接続させるものである。
【００２１】
連結アーム２３は、主キャップ体４０bの開口前面の下方部分に縦方向に延びて形成される。
【００２２】
アダプター長台８１は、２つの開口端を有する角パイプ体であり、蛍光灯具本体１０の長方体１１に搭載されると共に、その開口端にそれぞれアダプター２０bの連結アーム２３が収容される。
【００２３】
図１３乃至図１６に示すように、装飾カバー体７０a、７０bは、蛍光灯具本体１０のソケット１２に着脱自在に搭載されると共に、それぞれカバー本体７１a、７１bと後方パネル７２を備える。
【００２４】
カバー本体７１a、７１bはＵ形状を呈すると共に、ソケット１２の周囲に設けられ、横方向に延びてアダプター２０a、２０bのハウジングをカバーすることにより、サイズ調整式蛍光灯具の外観を向上させる。また、カバー本体７１a、７１bは、前端、後端、内壁及び保持手段７３a、７３bを有する。保持手段７３a、７３bは、カバー本体７１a、７１bの内壁に突起するように形成され、ソケット１２の前面に隣接する。
【００２５】
後方パネル７２は、カバー本体７１a、７１bの後端に設けられると共に、ソケット１２の後面に隣接され、それにより、カバー７０a、７０bで保持手段７３a、７３bと後方パネル７２との間にソケット１２を保持させる。
【図面の簡単な説明】
【００２６】
【図１】本考案の第１実施例によるサイズ調整式蛍光灯具の分解斜視図である。
【図２】図１のサイズ調整式蛍光灯具の斜視図である。
【図３】図１のサイズ調整式蛍光灯具に蛍光灯を搭載した状態の正面図である。
【図４】図１のサイズ調整式蛍光灯具の一部断面図である。
【図５】図４のサイズ調整式蛍光灯具の５−５線断面図である。
【図６】図１のサイズ調整式蛍光灯具に蛍光灯を搭載した状態の一部断面図である。
【図７】図６のサイズ調整式蛍光灯具の７−７線断面図である。
【図８】本考案の第２実施例によるサイズ調整式蛍光灯具の分解斜視図である。
【図９】図８のサイズ調整式蛍光灯具の斜視図である。
【図１０】図８のサイズ調整式蛍光灯具に蛍光灯を搭載した状態の正面図である。
【図１１】図８のサイズ調整式蛍光灯具に蛍光灯を搭載した状態の一部断面図である。
【図１２】図１１のサイズ調整式蛍光灯具の１２−１２線断面図である。
【図１３】本考案の第３実施例によるサイズ調整式蛍光灯具の一部分解斜視図である。
【図１４】本考案の第４実施例によるサイズ調整式蛍光灯具の一部分解斜視図である。
【図１５】図１３のサイズ調整式蛍光灯具に蛍光灯を搭載した状態の正面図である。
【図１６】図１４のサイズ調整式蛍光灯具に蛍光灯を搭載した状態の正面図である。
【符号の説明】
【００２７】
１０  蛍光灯具本体
１１  長形体
１２  ソケット
２０ａ、２０ｂ  アダプター
２１  調整ピン
２２  導電体
２３  連結アーム
２４  ゲートウェイ
３０  副キャップ体
３１  前方ピン穴
３２  切目
４０ａ、４０ｂ  主キャップ体
４１  後方ピン穴
４２  切目
７０ａ、７０ｂ  装飾カバー体
７１ａ、７１ｂ  カバー本体
７２  後方パネル
７３ａ、７３ｂ  保持手段
８１  アダプター長台
９０  Ｔ５型蛍光管
９１  ピン
１２１  ピン穴
【図１】
0003125853.tif 000003
【図２】
0003125853.tif 000004
【図３】
0003125853.tif 000005
【図４】
0003125853.tif 000006
【図５】
0003125853.tif 000007
【図６】
0003125853.tif 000008
【図７】
0003125853.tif 000009
【図８】
0003125853.tif 000010
【図９】
0003125853.tif 000011
【図１０】
0003125853.tif 000012
【図１１】
0003125853.tif 000013
【図１２】
0003125853.tif 000014
【図１３】
0003125853.tif 000015
【図１４】
0003125853.tif 000016
【図１５】
0003125853.tif 000017
【図１６】
0003125853.tif 000018